【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
複数の画素と、
前記画素とは異なるユニットであって、放射線を検知するための検知素子と、前記検知素子に対応するスイッチ素子と、を含むユニットと、
前記スイッチ素子が導通状態になったことに応じて前記検知素子から出力された信号を伝搬する信号線と、
制御部と、を備える放射線撮像装置であって、
前記制御部は、
前記放射線撮像装置に対する放射線の照射の開始前において、前記信号線の電位をリセットしてから前記スイッチ素子を導通状態にするまでの間の前記信号線の信号を第１信号として取得し、該スイッチ素子を導通状態にしてから前記信号線の電位をリセットするまでの間の前記信号線の信号を第２信号として取得する第１動作と、
前記放射線の照射が開始されたことに応答して、前記信号線の電位をリセットしてから前記スイッチ素子を導通状態にするまでの間の前記信号線の信号を第３信号として取得し、該スイッチ素子を導通状態にしてから前記信号線の電位をリセットするまでの間の前記信号線の信号を第４信号としてモニタする第２動作と、
前記第１信号、前記第２信号、前記第３信号及び前記第４信号に基づいて、前記放射線の照射が開始されてからの前記放射線の照射量を算出する第３動作と、
を行う
ことを特徴とする放射線撮像装置。
【請求項２】
前記制御部は、前記第３動作では、前記第１信号と前記第２信号との差である第１の差と、前記第３信号と前記第４信号との差である第２の差とに基づいて前記放射線の照射量を算出する
ことを特徴とする請求項１に記載の放射線撮像装置。
【請求項３】
前記制御部は、前記第３動作では、前記第１の差と前記第２の差との差に基づいて前記放射線の照射量を算出する
ことを特徴とする請求項２に記載の放射線撮像装置。
【請求項４】
前記制御部は、
前記第１動作の後かつ前記第２動作の前に、前記複数の画素のそれぞれを初期化する第１初期化動作と、
前記第１動作の前に、前記複数の画素のそれぞれを初期化する第２初期化動作と、
算出された前記照射量が基準値に達したことに応じて出力された信号に応じて前記放射線の照射が終了された後に前記複数の画素から画像データを読み出す第４の動作と、
をさらに行う
ことを特徴とする請求項１から請求項３のいずれか１項に記載の放射線撮像装置。
【請求項５】
前記画像データを読み出す動作は第１読出動作であり、
前記制御部は、前記第１動作の後かつ前記第１初期化動作の前に、前記複数の画素から画像データを読み出す第２読出動作をさらに行う
ことを特徴とする請求項４に記載の放射線撮像装置。
【請求項６】
前記制御部は、前記放射線の照射の開始前において、前記放射線撮像装置内の温度、前記放射線撮像装置内のノイズ量および前記放射線撮像装置に対する圧力の少なくとも１つが変化した場合には、前記信号線の電位をリセットしてから前記スイッチ素子を導通状態にするまでの間の前記信号線の信号を新たな第１信号として取得し、該スイッチ素子を導通状態にしてから前記信号線の電位をリセットするまでの間の前記信号線の信号を新たな第２信号として取得する
ことを特徴とする請求項１から請求項５のいずれか１項に記載の放射線撮像装置。
【請求項７】
前記制御部は、前記第１動作では、前記少なくとも１つが定常状態になったことに応じて、前記第１信号および前記第２信号を取得する
ことを特徴とする請求項６に記載の放射線撮像装置。
【請求項８】
動作モードとして複数のモードを有しており、
前記制御部は、前記第１動作では、前記複数のモードのそれぞれについて前記第１信号および前記第２信号を取得する
ことを特徴とする請求項１から請求項７のいずれか１項に記載の放射線撮像装置。
【請求項９】
前記複数の画素は、第１画素と、該第１画素よりもサイズが小さい第２画素とを含み、
前記複数の画素は、複数の行および複数の列を形成するように配列されており、
前記第１画素は、１行かつ１列の単位に対応し、前記検知素子と前記スイッチ素子と前記第２画素とは、１行かつ１列の単位に対応する
ことを特徴とする請求項１から請求項８のいずれか１項に記載の放射線撮像装置。
【請求項１０】
前記信号線は、前記第２画素が配された列に沿って配されている
ことを特徴とする請求項９に記載の放射線撮像装置。
【請求項１１】
前記複数の列に対応する複数の列信号線であって、対応する列の各画素から画素信号を読み出すための複数の列信号線をさらに備え、
前記第２画素が配された列に対応する列信号線と、前記信号線とは互いに平行に配されている
ことを特徴とする請求項９または請求項１０に記載の放射線撮像装置。
【請求項１２】
前記制御部は、前記複数の画素から画像データを読み出す動作において、前記第２画素から読み出した信号に対して、前記第１画素と前記第２画素とのサイズ比に応じたゲインを用いて信号処理を行う
ことを特徴とする請求項９から請求項１１のいずれか１項に記載の放射線撮像装置。
【請求項１３】
前記複数の画素のそれぞれに電力を供給するための電力供給線をさらに備え、
前記電力供給線は、前記複数の画素が配列された基板の上面に対する平面視において、
前記第２画素が配された列に対応する列信号線と、前記信号線との間に、それらと平行に配されている
ことを特徴とする請求項９から請求項１２のいずれか１項に記載の放射線撮像装置。
【請求項１４】
前記制御部は、前記第１動作を繰り返し行い、
前記第１信号及び前記第２信号は、繰り返し為された前記第１動作により得られた複数の結果に基づいて算出される
ことを特徴とする請求項１から請求項１３のいずれか１項に記載の放射線撮像装置。
【請求項１５】
前記第１信号及び前記第２信号は、前記複数の結果の平均値、中央値、及び標準偏差のうちの少なくとも１つに基づいて算出される
ことを特徴とする請求項１４に記載の放射線撮像装置。
【請求項１６】
請求項１から請求項１５のいずれか１項に記載の放射線撮像装置と、
前記放射線撮像装置からの信号を処理するプロセッサと、を具備する
ことを特徴とする放射線撮像システム。
【請求項１７】
複数の画素と、
前記画素とは異なるユニットであって、放射線を検知するための検知素子と、前記検知素子に対応するスイッチ素子と、を含むユニットと、
前記スイッチ素子が導通状態になったことに応じて前記検知素子から出力された信号を伝搬する信号線と、を備える放射線撮像装置の駆動方法であって、
前記放射線撮像装置に対する放射線の照射の開始前において、前記信号線の電位をリセットしてから前記スイッチ素子を導通状態にするまでの間、および該スイッチ素子を導通状態にしてから前記信号線の電位をリセットするまでの間の前記信号線の信号を、それぞれ第１信号および第２信号として取得する工程と、
前記放射線の照射が開始されたことに応答して、前記信号線の電位をリセットしてから前記スイッチ素子を導通状態にするまでの間、および該スイッチ素子を導通状態にしてから前記信号線の電位をリセットするまでの間の前記信号線の信号を、それぞれ第３信号および第４信号としてモニタする工程と、
前記第１信号、前記第２信号、前記第３信号及び前記第４信号に基づいて、前記放射線の照射が開始されてからの前記放射線の照射量を算出する工程と、を含む
ことを特徴とする放射線撮像装置の駆動方法。
【手続補正２】
【補正対象書類名】明細書
【補正対象項目名】０００８
【補正方法】変更
【補正の内容】
【０００８】
本発明の一つの側面は放射線撮像装置にかかり、前記放射線撮像装置は、複数の画素と、
前記画素とは異なるユニットであって、放射線を検知するための検知素子と、前記検知素子に対応するスイッチ素子と、を含むユニットと、前記スイッチ素子が導通状態になったことに応じて前記検知素子から出力された信号を伝搬する信号線と、制御部と、を備える放射線撮像装置であって、前記制御部は、前記放射線撮像装置に対する放射線の照射の開始前において、前記信号線の電位をリセットしてから前記スイッチ素子を導通状態にするまでの間の前記信号線の信号を第１信号として取得し、該スイッチ素子を導通状態にしてから前記信号線の電位をリセットするまでの間の前記信号線の信号を第２信号として取得する第１動作と、前記放射線の照射が開始されたことに応答して、前記信号線の電位をリセットしてから前記スイッチ素子を導通状態にするまでの間の前記信号線の信号を第３信号として取得し、該スイッチ素子を導通状態にしてから前記信号線の電位をリセットするまでの間の前記信号線の信号を第４信号としてモニタする第２動作と、前記第１信号、前記第２信号、前記第３信号及び前記第４信号に基づいて、前記放射線の照射が開始されてからの前記放射線の照射量を算出する第３動作と、を行うことを特徴とする。